(57)【要約】【課題】長い釣糸を絡み合うことなく容易に巻き取ることができるとともに、巻き取った釣糸を素早く水中に再投入することができる釣糸巻回装置を提供する。【解決手段】釣糸の基端と係合する接続部が外周面の一端側に配設された円筒状の巻回部と、該巻回部を回転自在に支持する基台部とを備えた釣糸巻回装置において、巻回部が、接続部から外周面に沿って他端側まで連続して螺旋状に形成された巻溝を有し、かつ、釣糸が、巻回部の回転に応じて巻溝に沿って巻回される。【選択図】図２
2010045985.tif 000002
【特許請求の範囲】
【請求項１】
釣糸の基端と係合する接続部が外周面の一端側に配設された円筒状の巻回部と、該巻回部を回転自在に支持する基台部とを備えた釣糸巻回装置であって、
前記巻回部は、前記接続部から外周面に沿って他端側まで連続して螺旋状に形成された巻溝を有し、かつ、
前記釣糸は、前記巻回部の回転に応じて前記巻溝に沿って巻回されることを特徴とする釣糸巻回装置。
【請求項２】
前記巻回部は、前記釣糸が巻回された際に前記釣糸に取り付けられた釣針が位置する前記巻溝の所定箇所に、前記釣針を吸引可能な磁石を備えている請求項１に記載の釣糸巻回装置。
【請求項３】
前記釣糸は、少なくとも１つの釣針が先端に取り付けられた複数の枝糸と、前記複数の枝糸の基端が所定の間隔で固定された幹糸とを備えている請求項１に記載の釣糸巻回装置。
【請求項４】
前記磁石は、前記釣糸が巻回された際に前記釣針が位置する前記巻溝の複数の所定箇所に配設されている請求項３に記載の釣糸巻回装置。
【請求項５】
前記巻溝の幅は、少なくとも前記釣針の最長幅より大きい請求項２ないし４のいずれかに記載の釣糸巻回装置。
【請求項６】
前記巻溝を画定している壁の高さは、少なくとも前記釣針の最長幅より大きい請求項２ないし５のいずれかに記載の釣糸巻回装置。
【発明の詳細な説明】
【技術分野】
【０００１】
本発明は、複数の仕掛け（釣針、疑似餌等）が取り付けられた釣糸を巻き取る場合に用いられる釣糸巻回装置に関する。
【背景技術】
【０００２】
イカ釣りや真鯛釣りなどに用いられる釣糸（釣仕掛け）として、釣針が先端に取り付けられた枝糸と、該枝糸の基端が所定の間隔で固定された幹糸とを備えた釣糸が知られている。この種の釣糸の全長は１０ｍ以上あるが、例えばイカ釣りを行う場合には、イカの群れが逃げないように、この長い釣糸を素早く水中へ投入する必要がある。また、この釣糸を回収する際には、釣糸が絡まらないように素早く巻き取ることが要求される。これらは、イカ釣りに限ることではなく、例えば真鯛などの魚釣りの場合にも同様である。
【０００３】
従来より、この種の釣糸を再使用可能に保管するために、釣糸を板状または筒状の糸巻部材に巻回することが一般的になされていた。ところが、このような釣糸の巻き取りは、天候・潮流などの状況に応じて素早く行わなければならないため、釣糸が絡まらないように丁寧に巻き取ることができない場合もあった。したがって、そのような状況で単に幹糸を糸巻部材に巻回してしまうと、釣糸同士（幹糸および枝糸）が絡み易く、また、枝糸の先端に取り付けられた釣針などがふらついてしまうため、その釣針で使用者が負傷してしまうなど、使用上の操作性および安全性に問題があった。そこで、これらの問題点を解決するものとして、例えば、糸巻部材の両縁部に各枝糸の釣針を係止可能な係止部を設けた巻回具などが提案されている。
【発明の開示】
【発明が解決しようとする課題】
【０００４】
しかしながら、上述したような従来の巻回具では、釣糸とともに巻き取られる釣針を係止部に順次係止しなければならないため、巻回作業の効率が悪く、釣糸を素早く巻き取ることができなかった。また、巻回した釣糸を水中に再投入する際には、各係止部に係止された釣針を１つずつ手作業で外さなければならないため、迅速な投入作業を行うことができない、という問題があった。さらに、糸巻部材の両縁部に設けられた係止部に釣針を係止させたとしても、幹糸や枝糸が交差した状態で巻回される可能性があるため、釣糸の絡まりを完全に解消することはできなかった。
【０００５】
本発明は、上記事情に鑑みてなされたものであり、その目的とするところは、長い釣糸を絡み合うことなく容易に巻き取ることができるとともに、巻き取った釣糸を素早く水中に再投入することができる釣糸巻回装置を提供することにある。
【課題を解決するための手段】
【０００６】
本発明の上記目的は、釣糸の基端と係合する接続部が外周面の一端側に配設された円筒状の巻回部と、該巻回部を回転自在に支持する基台部とを備えた釣糸巻回装置において、前記巻回部が、前記接続部から外周面に沿って他端側まで連続して螺旋状に形成された巻溝を有し、かつ、前記釣糸が、前記巻回部の回転に応じて前記巻溝に沿って巻回されることにより、達成される。
【０００７】
また、上記目的は、前記巻回部が、前記釣糸が巻回された際に前記釣糸に取り付けられた釣針が位置する前記巻溝の所定箇所に、前記釣針を吸引可能な磁石を備えていることにより、効果的に達成される。
【０００８】
また、上記目的は、前記釣糸が、少なくとも１つの釣針が先端に取り付けられた複数の枝糸と、前記複数の枝糸の基端が所定の間隔で固定された幹糸とを備えていることにより、効果的に達成される。
【０００９】
また、上記目的は、前記磁石が、前記釣糸が巻回された際に前記釣針が位置する前記巻溝の複数の所定箇所に配設されていることにより、効果的に達成される。
【００１０】
また、上記目的は、前記巻溝の幅が、少なくとも前記釣針の最長幅より大きことにより、効果的に達成される。
【００１１】
さらに、上記目的は、前記巻溝を画定している壁の高さが、少なくとも前記釣針の最長幅より大きいことにより、効果的に達成される。
【発明の効果】
【００１２】
本発明に係る釣糸巻回装置によれば、釣糸を巻回する円筒状の巻回部の外周面には、一端側に配設された接続部から他端側にわたって螺旋状の巻溝が形成され、接続部に接続された釣糸が、巻回部の回転に応じて、螺旋状の巻溝に沿って巻回されるようになっている。これにより、釣糸同士が交差することなく巻回部に巻回されるので、長い釣糸でも絡み合うことなく容易に巻き取ることができる。この結果、釣糸の巻回作業の効率の向上を図ることができ、釣糸の回収作業および再投入作業の迅速化を図ることができる。
【００１３】
また、巻回部に釣糸が巻き取られた際に、釣糸に取り付けられた釣針が位置する箇所の巻溝に、釣針を吸引可能な磁石が配設されていることにより、巻回部に巻回された釣糸の釣針が移動しないように固定することができる。これにより、釣糸を収容する作業を安全に行うことができ、釣針による負傷などを防止することができる。さらに、この磁石の吸引力は、巻回部に巻回された釣糸の再投入に伴って、その固定が解除される程度に設定されているので、釣針の係止を解除するための作業を省略することができる。
【発明を実施するための最良の形態】
【００１４】
以下、図面を参照にしながら、本発明の実施形態について説明する。
【００１５】
図１は、本発明の実施形態に係る釣糸（釣仕掛け）の一例を示す概略図である。本実施形態に係る釣仕掛け１０は、イカ釣りなどで用いられるサビキ式（一般的にブランコ仕掛けと呼ばれている）のものであり、釣針１１が先端に取り付けらた枝糸１２と、該枝糸１２の基端が所定の間隔で固定された幹糸１３とを備えている。
【００１６】
幹糸１３の先端には錘１４が取付けられ、一方、幹糸１３の基端には係合具１５が取り付けられている。この係合具１５は、後述する釣糸巻回装置２０に具備された円筒状の巻回部３０の接続部３１に接続される。また、釣針１１の基端には小エビや小魚などの疑似餌１５が取り付けられ、１つの疑似餌１５に対して複数の釣針１１が設けられている。なお、ここでは、６本の枝糸１２を有する釣仕掛け１０を示したが、本発明に係る釣仕掛けはこれに限定されるものではなく、この枝糸１２の本数を適宜変更することができる。
【００１７】
また、同図の右側に示されている釣仕掛け１０Ａは、イカ釣りなどで用いられる直結仕掛けと呼ばれるものであり、１本の幹糸１３Ａに疑似餌１５Ａおよび釣針１１Ａが直接的に取り付けられている。すなわち、この直結仕掛け１０Ａには、上述したブランコ式の釣仕掛け１０の枝糸１２に該当する部分が存在しないので、釣糸全体が直線的な形状になっている。また、上述したブランコ式の釣り仕掛け１０と同様、幹糸１３Ａの先端には錘１４が取付けられ、一方、幹糸１３Ａの基端には係合具１５Ａが取り付けられている。本実施形態に係る釣糸巻回装置１では、巻回部３０の接続部３１に接続された釣り仕掛け１０の係合具１５を取り外して、釣仕掛け１０Ａの係合具１５Ａを巻回部３０の接続部３１に接続することにより、釣り仕掛けの種類を使用状況および使用目的に応じて容易に変更することができる。
【００１８】
図２は、本発明の実施形態に係る釣糸巻回装置を示す外観図である。同図において、釣糸巻回装置２０は、大別すると、上述した釣糸１０を巻回する円筒状の巻回部３０と、該巻回部３０を回転自在に支持する基台部４０とを備えている。
【００１９】
巻回部３０は、一端側（図２右側）に配設された接続部３１から外周面に沿って螺旋状に他端側（図２左側）まで形成された巻溝３２と、該巻溝３２の所定の位置に取り付けられた磁石３３とを備えている。この巻回部３０の接続部３１に係合具１５を介して接続された釣糸１０（幹糸１３）は、巻回部３０が図２中の矢印Ｘ方向に回転されると、連続した螺旋状の巻溝３２に沿って巻回部３０に巻回される。すなわち、この巻溝３２によって、釣糸１０（幹糸１３）は、一度も交差することなく巻回部３０に巻回されるようになっている。
【００２０】
各磁石３３の設置箇所は、釣糸１０が巻回された際の釣針１１の位置に該当し、幹糸１３とともに巻回された釣針１１は、この磁石３３の吸引力によって移動しないように固定される。また、巻溝３２の溝幅Ｗおよび巻溝３２を画定している壁３４の高さＨは、少なくとも釣針１１の最長幅よりも大きくなっている。
【００２１】
基台部４０は、一端部が巻回部３０の中心に形成された中空部に嵌合されるとともに、他端部に第１外歯ギヤ４１ａが形成された回転軸４１と、該回転軸４１を回転自在に支持する支柱４２と、該支柱４２の底部が固定された支持台４３と、回転軸４１の第１外歯ギヤ部４１と噛合する第２外歯ギヤ部４４ａを有し、支柱４２に回転自在に支持されたハンドル部材４４とを備えている。そして、使用者によってハンドル部材４４から動力が入力されると、その動力が第２外歯ギヤ４４ａおよび第１外歯ギヤ４１ａを介して回転軸４１に伝達され、この回転軸４１の回転に伴って巻回部３０が回転軸４１と一体的に回転するようになっている。なお、第１外歯ギヤ４１ａと第２外歯ギヤ４４との噛合強度は、巻回部３０に巻き取られた釣糸１０を水中に再投入する際に、釣糸１０の錘１４などの自重によって巻回部３０および回転軸４１が図２中の矢印Ｙ方向に自由回転できる程度に設定されている。
【００２２】
図３は、本発明の実施形態に係る釣糸巻回装置における巻回部の交換を示す説明図である。上述した巻回部３０は、幹糸１３の全長が約１０ｍのイカ釣り用の釣糸１０を巻回するためのものであるが、同図に示すように、この巻回部３０とは異なる径、および異なるピッチの巻溝３２Ａを有する巻回部３０Ａを巻回部３０の代わりに用いることにより、様々な釣糸の巻回作業に対応することができる。ここで、巻回部３０Ａの中空部は、上述した巻回部３０Ａの中空部と同一の寸法になっている。したがって、基台部４０の回転軸４１から巻回部３０を抜き取って、巻回部３０Ａに差し換えるだけで、異なる仕様の釣糸に対しても適応することができる
以上のように、本実施形態に係る釣糸巻回装置２０によれば、釣糸１０を巻回する円筒状の巻回部３０の外周面には、一端側に配設された接続部３１から他端側にわたって螺旋状の巻溝３２が形成され、接続部３１に接続された釣糸１０が、巻回部３０の回転に応じて、螺旋状の巻溝３２に沿って巻回されるようになっている。これにより、釣糸１０（幹糸１３および枝糸１２）が交差することなく巻回部３０に巻回されるので、釣糸１０が例えばイカ釣り用の１０ｍ以上の長さを有するようなものであっても、絡み合うことなく容易に巻き取ることができる。この結果、釣糸１０の巻回作業の効率の向上を図ることができ、釣糸１０の回収作業および再投入作業の迅速化を図ることができる。
【００２３】
また、本実施形態に係る釣糸巻回装置２０では、巻回部３０に釣糸１０が巻き取られた際に、釣糸１０に取り付けられた釣針１１が位置する箇所の巻溝３２に、釣針１０を吸引可能な磁石３３が配設されている。これにより、巻回部３０に巻回された釣糸１０の釣針１１が移動しないように磁石３３に固定することができるので、釣糸１０を収容する作業を安全に行うことができる。さらに、この磁石３３の吸引力は、釣糸１０の再投入に伴ってその固定が解除される程度に設定されているので、釣糸１０の先端に取り付けられた錘１４を水中に投入することにより、その自重によって自動的に釣糸１０の再投入を実行することができる。
【００２４】
また、本実施形態に係る釣糸巻回装置２０では、巻回部３０の巻溝３２の溝幅Ｗおよびこの巻溝３２を画定している壁３４の高さＨが、少なくとも釣針１１の最長幅よりも大きく設定されている。これにより、巻回部３０に巻き取られた釣針１１は、針先が巻回部３０の外径より外側に突出することなく磁石３３に固定されるので、釣糸１０の回収作業および再投入作業を安全に行うことができる。
【００２５】
以上、本発明の実施形態について具体的に説明してきたが、本発明はこれに限定されるものではなく、その趣旨を逸脱しない範囲で適宜変更可能である。例えば、本実施形態に係る釣糸巻回装置１は、ハンドル部材４４を介して入力される回転力を巻回部３０の駆動源とした手動式巻回装置であるが、これに限定されず、電動モータなどの回転力を巻回部３０の駆動源とした電動式巻回装置であってもよい。
【図面の簡単な説明】
【００２６】
【図１】本発明の実施形態に係る釣糸（釣仕掛け）の一例を示す概略図である。
【図２】本発明の実施形態に係る釣糸巻回装置を示す外観図である。
【図３】本発明の実施形態に係る釣糸巻回装置における巻回部の交換を示す説明図である。
【符号の説明】
【００２７】
１０，１０Ａ・・・釣糸（釣仕掛け）
１１，１１Ａ・・・釣針
１２・・・枝糸
１３，１３Ａ・・・幹糸
２０・・・釣糸巻回装置
３０，３０Ａ・・・巻回部
３１・・・接続部
３２・・・巻溝
３３・・・磁石
３４・・・壁
４０・・・基台部
Ｗ・・・巻溝の幅
Ｈ・・・壁の高さ
【図１】
2010045985.tif 000003
【図２】
2010045985.tif 000004
【図３】
2010045985.tif 000005